(57)【要約】【課題】封止のコストを有効に減らし、環境を汚染せずに、繰り返して利用することができる上、迅速に封止を行うことができる封止手段が必要ない袋を提供する。【解決手段】封止手段が必要ない袋２００は、第１の収納空間２０２２を形成する袋体２０２と、第１の収納空間２０２２と連通した少なくとも１つの裂け目２０４と、少なくとも１つの突出部２０６２を有し、裂け目２０４の側部に設けられ、少なくとも１つの裂け目２０４を分離し、裂け目２０４と連通した第２の収納空間２０６６と、裂け目２０４と連通していない第３の収納空間２０６８と、を形成する少なくとも１つのフィーダユニット２０６とを備える。少なくとも１つのフィーダユニット２０６の少なくとも１つの突出部２０６２が第３の収納空間２０６８に沿って２つ折りされると、第１の収納空間２０２２を制限し、第２の収納空間２０６６により封止手段が必要ない袋２００の外部と連通する。【選択図】図２
0003155576.tif 000002
【実用新案登録請求の範囲】
【請求項１】
第１の収納空間を形成する袋体と、
前記第１の収納空間と連通した少なくとも１つの裂け目と、
少なくとも１つの突出部を有し、前記裂け目の側部に設けられ、前記少なくとも１つの裂け目を分離し、前記裂け目と連通した第２の収納空間と、前記裂け目と連通していない第３の収納空間と、を形成する少なくとも１つのフィーダユニットと、を備え、
前記少なくとも１つのフィーダユニットの前記少なくとも１つの突出部が前記第３の収納空間に沿って２つ折りされると、前記第１の収納空間を制限し、前記第２の収納空間により封止手段が必要ない袋の外部と連通することを特徴とする封止手段が必要ない袋。
【請求項２】
前記袋体の側部には、複数の摩擦エリアが設けられ、前記袋体の摩擦係数を変えることを特徴とする請求項１に記載の封止手段が必要ない袋。
【請求項３】
前記少なくとも１つの突出部の幅は、前記少なくとも１つの裂け目の幅と同じかそれよりも大きいことを特徴とする請求項１に記載の封止手段が必要ない袋。
【請求項４】
前記少なくとも１つのフィーダユニットは、前記袋体と一体成形されるか別に成形されることを特徴とする請求項１に記載の封止手段が必要ない袋。
【請求項５】
前記袋体の形状は、正方形、長方形または台形であることを特徴とする請求項１に記載の封止手段が必要ない袋。
【請求項６】
前記フィーダユニットを密封し、前記袋体または前記フィーダユニットへそれぞれ設けた第１の補助手段または第２の補助手段をさらに備えることを特徴とする請求項１に記載の封止手段が必要ない袋。
【考案の詳細な説明】
【技術分野】
【０００１】
本考案は、封止手段が必要ない袋に関し、特に、付加的な設備または装置を使用せずに、袋体上に配置したフィーダユニットにより封止を行う封止手段が必要ない袋に関する。
【背景技術】
【０００２】
従来の封止袋は、チャック、ボタン、縫糸、熱融着、キャップなどを利用して封止を行っていた。そしてこれらの従来技術は、（１）外部の設備を利用し、熱エネルギにより封止袋を封止する方式と、（２）袋口を機械で縫って封止する方式との２つに大きく分けられる。或いは、封止袋を製作するとき、封止袋に封止手段（例えば、チャック、ボタン、キャップなど）を付加する方式もあった。
【０００３】
しかし、上述の封止には、封止を行う設備を他に購入しなければならなかったため、間接的に封止のコストが増大したり、封止手段を備える封止袋の製造に必要な工数が増えてしまうという欠点があった。
【考案の概要】
【考案が解決しようとする課題】
【０００４】
そのため、封止のコストを有効に減らし、環境汚染が発生せずに、繰り返して利用することができる上、迅速に封止を行うことができる封止手段が必要ない袋が求められていた。
【０００５】
本考案の目的は、袋体と結合されたフィーダユニットにより封止を行うことにより、フィーダユニットを一方向で袋体へ収納させるだけで、袋体の中に注入物を入れることができ、他の設備または装置を必要としない封止手段が必要ない袋を提供することにある。
【０００６】
本考案のもう一つの目的は、フィーダユニットにより注入物を袋体の中に閉じ込めることができるだけでなく、袋体の表面の側部に複数の摩擦エリアを形成して摩擦係数を変え、多数の袋体を安定的に積層させることができる封止手段が必要ない袋を提供することにある。
【課題を解決するための手段】
【０００７】
上記課題を解決するために、本考案の第１の形態によれば、第１の収納空間を形成する袋体と、前記第１の収納空間と連通した少なくとも１つの裂け目と、少なくとも１つの突出部を有し、前記裂け目の側部に設けられ、前記少なくとも１つの裂け目を分離し、前記裂け目と連通した第２の収納空間と、前記裂け目と連通していない第３の収納空間と、を形成する少なくとも１つのフィーダユニットと、を備え、前記少なくとも１つのフィーダユニットの前記少なくとも１つの突出部が前記第３の収納空間に沿って２つ折りされると、前記第１の収納空間を制限し、前記第２の収納空間により封止手段が必要ない袋の外部と連通することを特徴とする封止手段が必要ない袋が提供される。
【０００８】
また、前記袋体の側部には、複数の摩擦エリアが設けられ、前記袋体の摩擦係数を変えることが好ましい。
【０００９】
また、前記少なくとも１つの突出部の幅は、前記少なくとも１つの裂け目の幅と同じかそれよりも大きいことが好ましい。
【００１０】
また、前記少なくとも１つのフィーダユニットは、前記袋体と一体成形されるか別に成形されることが好ましい。
【００１１】
また、前記袋体の形状は、正方形、長方形または台形であることが好ましい。
【００１２】
また、前記フィーダユニットを密封し、前記袋体または前記フィーダユニットへそれぞれ設けた第１の補助手段または第２の補助手段をさらに備えることが好ましい。
【考案の効果】
【００１３】
本考案の封止手段が必要ない袋は、封止のコストを有効に減らし、環境を汚染せずに、繰り返して利用することができる上、迅速に封止を行うことができる。
【図面の簡単な説明】
【００１４】
【図１】本考案の一実施形態による封止手段が必要ない袋を示す平面図である。
【図２】本考案の一実施形態による封止手段が必要ない袋を示す斜視図である。
【図３】本考案の一実施形態による封止手段が必要ない袋にフィーディングを行うときの状態を示す斜視図である。
【図４】図３の線Ａ−Ａ’に沿った断面図である。
【図５】本考案の一実施形態による封止手段が必要ない袋を折り曲げたときの状態を示す斜視図である。
【図６】本考案の一実施形態による封止手段が必要ない袋の製作を完了したときの状態を示す斜視図である。
【図７】本考案の一実施形態による封止手段が必要ない袋を示す模式図である。
【図８】図７のフィーダユニットを示す拡大図である。
【図９】本考案の一実施形態による封止手段が必要ない袋を積層したときの状態を示す斜視図である。
【図１０】本考案の一実施形態による封止手段が必要ない袋を示す模式図である。
【図１１】本考案の一実施形態による封止手段が必要ない袋を示す斜視図である。
【考案を実施するための形態】
【００１５】
以下、本考案の実施形態について図に基づいて説明する。なお、これによって本考案が限定されるものではない。
【００１６】
図１を参照する。図１は、本考案の一実施形態による封止手段が必要ない袋を示す平面図である。本実施形態の封止手段が必要ない袋１００は、袋体１０２、裂け目１０４およびフィーダユニット１０６を含む。袋体１０２は、第１の収納空間１０２２を形成するために用いる。例えば、第１の収納空間１０２２は、固体、液体または気体の状態で存在する注入物１１０を外部から注入して貯蔵するために用いる。第１の収納空間１０２２は、粒状／粉状である穀物、有機肥料、有機土、飼料などを貯蔵するために用いることが好ましい。第１の収納空間１０２２と連通した裂け目１０４を介し、第１の収納空間１０２２へ外部から注入物１１０を注入する。また、第１の収納空間１０２２の内部に貯蔵されている注入物１１０は、裂け目１０４を介して第１の収納空間１０２２の外部へ排出することもできる。フィーダユニット１０６は、裂け目１０４の側部に設けられた突出部１０６２を有し、裂け目１０４を分離して第２の収納空間および第３の収納空間を形成する。第２の収納空間は裂け目１０４と連通しているが、第３の収納空間は裂け目１０４と連通していない。これについては、以下で詳細な説明をする。さらに、フィーダユニット１０６の突出部１０６２が折り線１０６４に沿って２つ折りされると、制限された第１の収納空間は、第２の収納空間を介して封止手段が必要ない袋の外部と連通する。これについては、以下で詳細な説明をする。
【００１７】
図２を参照する。図２は、本考案の一実施形態による封止手段が必要ない袋を示す斜視図である。本実施形態の封止手段が必要ない袋２００は、袋体２０２、裂け目２０４、フィーダユニット２０６および摩擦エリア２０８を含む。袋体２０２は、第１の収納空間２０２２を形成するために用いる。本実施形態の袋体２０２は形状が矩形であるが、正方形、長方形、台形などの矩形またはその他の形状でもよい。この袋体２０２の周縁の接合部は、選択的に密着させたり一体成形させたりしてもよい。好ましくは、袋体２０２の接合部の一つを用いて、第１の収納空間２０２２への注入／排出を行う。上述の接合部に設けた裂け目２０４（材料の注入口／排出口とも呼ぶ）により、第１の収納空間２０２２と裂け目２０４とを連通し、第１の収納空間２０２２の中の注入物２１０を第１の収納空間２０２２から排出したり、外部から第１の収納空間２０２２の中へ注入したりすることを簡便に行うことができる。例えば、裂け目２０４は、袋体２０２上で直接カットを行い、裂け目２０４を形成してもよい。フィーダユニット２０６は、裂け目２０４の側部上に配置し、一体成形または付加的に貼着させる方式により、裂け目２０４上に形成してもよい。さらに、フィーダユニット２０６は、第１の収納空間２０２２へ外部の注入物２１０を簡便に出し入れするために、袋体２０２から突出した高さＨＡを有する突出部２０６２を有する。さらに、フィーダユニット２０６には、高さＨＢを有する第２の収納空間２０６６および第３の収納空間２０６８が形成されている。この第２の収納空間２０６６は、裂け目２０４と連通している。つまり、第１の収納空間２０２２の中の注入物２１０は、第２の収納空間２０６６を介して封止手段が必要ない袋の外部と連通することができる一方、外部の注入物２１０は、第２の収納空間２０６６を介して第１の収納空間２０２２の内部と連通する。特に、第３の収納空間２０６８は、裂け目２０４と連通していない。フィーダユニット２０６の突出部２０６２は、第３の収納空間２０６８の方向に沿って２つ折りにして第３の収納空間２０６８に挿入することができるため、封止を行う必要がない。摩擦エリア２０８は、袋体２０２の表面の摩擦係数を変えることにより（即ち、複数の袋体が積層されたときに、袋体間での最大静止摩擦力を向上させることができる。）、図９に示すように、封止手段が必要ない袋５００は、フィーダユニット５０２および摩擦エリア５０４を含む。摩擦エリア５０４は、非平滑の表面層状、帯状またはブロック状にしてもよいし、複数の微小バンプを有する表面層状、帯状またはブロック状にしてもよい。
【００１８】
ここで、突出部２０６２の突出高さＨＡは、２つ折りして第３の収納空間２０６８へ挿入することができる限り、必要に応じてその高さを変えることができる。本実施形態の突出部２０６２の高さＨＡは、第２の収納空間２０６６および第３の収納空間２０６８の高さＨＢに等しい。或いは、フィーダユニット２０６の突出部２０６２の幅は、裂け目２０４の幅より略大きくてもよい。図１０に示すように、封止手段が必要ない袋６００は、袋体６０２、裂け目６０４、フィーダユニット６０６および摩擦エリア６０８を含む。フィーダユニット６０６の突出部６０６２の幅Ｗ２は、裂け目６０４の幅Ｗ１より略大きい。
【００１９】
図２に示すように、フィーダユニット２０６は、突出部２０６２、第２の収納空間２０６６および第３の収納空間２０６８の間で押圧して折り畳むことが可能な所定の折り線２０６４をさらに含んでもよい。これにより、上述の封止手段が必要ない袋を迅速かつ簡便に折り畳むことができる。さらに、袋体２０２上には、複数の折れ線２０２４がさらに設けられてもよい。立体形状の封止手段が必要ない袋２００を、これら折れ線２０２４に沿って押圧すると、袋体２０２を扁平状に変形させることができる。これにより、袋体２０２に材料が入っていないとき、運搬、携帯、収納などを簡便に行うことができる。
【００２０】
図３を参照する。図３は、本考案の一実施形態による封止手段が必要ない袋へ材料を送入するときの状態を示す斜視図である。本実施形態による封止手段が必要ない袋への注入は、外部のフィーダ３１０により行われる。これは、フィーダ３１０の供給端３１２を介し、封止手段が必要ない袋３００の第１の収納空間３０２へ注入物３２０を注入する。封止手段が必要ない袋３００のフィーダユニット３０６の第２の収納空間３０６２の中へ供給端３１２を挿入すると、第２の収納空間３０６２と連通した裂け目３０４を介し、第１の収納空間３０２へ注入物３２０を送入させることができる。
【００２１】
図４を参照する。図４は、図３の線Ａ−Ａ’に沿った断面図である。図４に示すように、まず、フィーダユニット３０６の突出部３０６６へフィーダ３１０の供給端３１２を挿入すると、突出部３０６６と連通した第２の収納空間３０６２に達してから、裂け目３０４を介して第１の収納空間３０２に達する。さらに、フィーダユニット３０６は、封止不要の作動を行う第３の収納空間３０６４をさらに含んでもよい。この封止工程は、フィーダ３１０の注入が完了してから、フィーダユニット３０６の供給端３１２を取り外し、第３の収納空間３０６４の方向に沿ってフィーダユニット３０６の突出部３０６６を２つ折りにして挿入し、第２の収納空間３０６２を介して第１の収納空間３０２が封止手段が必要ない袋３００の外部と連通し、２つ折りにしたときの状態を図５に示す。図６は、工程の最終状態を示す。このように、本実施形態の封止手段が必要ない袋３００は、封止を行うために他のツールまたは手段を追加しなくとも、封止機能を得ることができる。
【００２２】
図７を参照する。図７は、本考案の一実施形態による封止手段が必要ない袋を示す模式図である。本実施形態では、フィーダユニット４０４を有する封止手段が必要ない袋４００を反転させると、フィーダユニット４０４の位置が下方となり、地面Ｇに接触する。封止手段が必要ない袋４００内の第１の収納空間４０２の中にある注入物４０６により、下向きに押す作用力Ｆがフィーダユニット４０４に加えられ、封止手段が必要ない袋４００の封止効果をさらに高めることができる。このように、フィーダユニット４０４を利用し、封止手段が必要ない袋４００の外部へ注入物４０６が排出されることを防ぐことができる。図８は、フィーダユニット４０４を示す拡大図である。
【００２３】
図１１を参照する。図１１は、本考案の一実施形態による封止手段が必要ない袋を示す斜視図である。本実施形態の封止手段が必要ない袋７００は、袋体上に設けた第１の補助手段７０２、またはフィーダユニットに設けた第２の補助手段７０４を利用し、封止手段が必要ない袋７００によりフィーダユニットを密封する。第１の補助手段７０２および第２の補助手段７０４は、例えば、テープ、リングまたは面ファスナでもよい。
【００２４】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２５】
１００、２００、３００、４００、５００、６００、７００  封止手段が必要ない袋
１０２、２０２、６０２  袋体
３０２、４０２、１０２２、２０２２  第１の収納空間
１０４、２０４、３０４、６０４  裂け目
１０６、２０６、３０６、４０４、５０２、６０６  フィーダユニット
１０６２、２０６２、３０６６、６０６２  突出部
１０６４、２０２４、２０６４  折り線
２０８、５０４、６０８  摩擦エリア
１１０、２１０、３２０、４０６  注入物
ＨＡ、ＨＢ  高さ
２０６６、３０６２  第２の収納空間
２０６８、３０６４  第３の収納空間
３１０  フィーダ
３１２  供給端
Ｇ  地面
Ｗ１、Ｗ２  幅
６０２２  収納ユニット
７０２  第１の補助手段
７０４  第２の補助手段
【図１】
0003155576.tif 000003
【図２】
0003155576.tif 000004
【図３】
0003155576.tif 000005
【図４】
0003155576.tif 000006
【図５】
0003155576.tif 000007
【図６】
0003155576.tif 000008
【図７】
0003155576.tif 000009
【図８】
0003155576.tif 000010
【図９】
0003155576.tif 000011
【図１０】
0003155576.tif 000012
【図１１】
0003155576.tif 000013